【事件の表示】
　特願２０１３−１６７１０３「脳機能計測装置および脳機能計測装置用計測プローブ」拒絶査定不服審判事件〔平成２７年　２月１９日出願公開、特開２０１５−　３３５６１〕について、次のとおり審決する。
【結　論】
　本件審判の請求は、成り立たない。
【理　由】
第１　手続の経緯
　本願は、平成２５年８月９日の出願であって、平成２８年１０月２８日付けで拒絶理由が通知され、同年１２月２７日に意見書及び手続補正書が提出され、平成２９年３月１０日付けで拒絶査定されたところ、同年６月１４日に拒絶査定不服審判の請求がなされ、同時に手続補正がなされたものである。
第２　平成２９年６月１４日にされた手続補正についての補正の却下の決定
［補正の却下の結論］
　平成２９年６月１４日にされた手続補正（以下、「本件補正」という。）を却下する。
［理由］
１　補正の内容
（１）本件補正後の特許請求の範囲の記載
　本件補正により、特許請求の範囲の記載は、次のとおり補正された（下線は、請求人が付与したものであり、補正箇所を示す。）。
「　【請求項１】
　光ファイバを有する送光用または受光用プローブであり、被験者の頭部に配置される複数の計測プローブと、
　前記複数の計測プローブの各々と接続され、前記計測プローブを介して計測を行う本体部とを備え、
　前記複数の計測プローブは、被験者の頭部側の先端部において、第１接触部を有する第１プローブと、遮光性を有するとともに被験者の頭部表面側の面積が前記第１接触部よりも大きい第２接触部を有する第２プローブとを含
み、
前記第１接触部は、細長形状を有するとともに、前記第１プローブは、被験者の頭部の有毛部に対応する位置に配置されるように構成され、
前記第２接触部は、被験者の頭部表面に沿った扁平形状を有するとともに、前記第２プローブは、被験者の頭部の無毛部に対応する位置に配置されるように構成されている、
　【請求項２】
　前記第２接触部は、少なくとも頭部表面側に弾性変形可能な接触面部を有する、
請求項１に
　【請求項３】
　前記複数の計測プローブを取り付けるための取付穴を含むとともに、前記被験者の頭部に装着されるホルダをさらに備え、
　前記第１接触部は、前記取付穴よりも小さい外形形状を有し、
　前記第２接触部は、少なくとも頭部表面側の接触面部が前記取付穴よりも大きい外形形状を有する、
請求項１、２のいずれかに
　【請求項４】
　前記第２接触部は、前記光ファイバの先端部を取り囲むように配置されている、
請求項１〜３のいずれか１項に
　【請求項５】
　前記第１プローブと前記第２プローブとは、共通のプローブ本体を含み、
　前記第２接触部は、前記プローブ本体の先端部に着脱可能に構成された接触部材を有し、
　前記第２プローブは、前記プローブ本体の先端部に前記接触部材が装着されることにより構成されている、
請求項１〜４のいずれか１項に
　【請求項６】
　光ファイバを有し、先端部が被験者の頭部に配置されるとともに、脳機能計測装置に接続されるように構成され、被験者の頭部側の先端部において、第１接触部を有する１または複数の第１プローブと、
　光ファイバを有し、先端部が被験者の頭部に配置されるとともに、前記脳機能計測装置に接続されるように構成され、被験者の頭部側の先端部において、遮光性を有するとともに被験者の頭部表面側の面積が前記第１接触部よりも大きい第２接触部を有する１または複数の第２プローブとを備え、
前記第１接触部は、細長形状を有するとともに、前記第１プローブは、被験者の頭部の有毛部に対応する位置に配置されるように構成され、
前記第２接触部は、被験者の頭部表面に沿った扁平形状を有するとともに、前記第２プローブは、被験者の頭部の無毛部に対応する位置に配置されるように構成されている、
（２）本件補正前の特許請求の範囲の記載
　本件補正前の、平成２８年１２月２７日にされた手続補正により補正された特許請求の範囲の請求項１の記載は次のとおりである。
「　【請求項１】
　光ファイバを有する送光用または受光用プローブであり、被験者の頭部に配置される複数の計測プローブと、
　前記複数の計測プローブの各々と接続され、前記計測プローブを介して計測を行う本体部とを備え、
　前記複数の計測プローブは、被験者の頭部側の先端部において、第１接触部を有する第１プローブと、遮光性を有するとともに被験者の頭部表面側の面積が前記第１接触部よりも大きい第２接触部を有する第２プローブとを含む、脳機能計測装置。
　【請求項２】
　前記第１接触部は、細長形状を有し、
　前記第２接触部は、被験者の頭部表面に沿った扁平形状を有する、請求項１に記載の脳機能計測装置。
　【請求項３】
　前記第１プローブは、被験者の頭部の有毛部に対応する位置に配置されるように構成され、
　前記第２プローブは、被験者の頭部の無毛部に対応する位置に配置されるように構成されている、請求項１または２に記載の脳機能計測装置。
　【請求項４】
　前記第２接触部は、少なくとも頭部表面側に弾性変形可能な接触面部を有する、請求項１〜３のいずれか１項に記載の脳機能計測装置。
　【請求項５】
　前記複数の計測プローブを取り付けるための取付穴を含むとともに、前記被験者の頭部に装着されるホルダをさらに備え、
　前記第１接触部は、前記取付穴よりも小さい外形形状を有し、
　前記第２接触部は、少なくとも頭部表面側の接触面部が前記取付穴よりも大きい外形形状を有する、請求項１〜４のいずれか１項に記載の脳機能計測装置。
　【請求項６】
　前記第２接触部は、前記光ファイバの先端部を取り囲むように配置されている、請求項１〜５のいずれか１項に記載の脳機能計測装置。
　【請求項７】
　前記第１プローブと前記第２プローブとは、共通のプローブ本体を含み、
　前記第２接触部は、前記プローブ本体の先端部に着脱可能に構成された接触部材を有し、
　前記第２プローブは、前記プローブ本体の先端部に前記接触部材が装着されることにより構成されている、請求項１〜６のいずれか１項に記載の脳機能計測装置。
　【請求項８】
　光ファイバを有し、先端部が被験者の頭部に配置されるとともに、脳機能計測装置に接続されるように構成され、被験者の頭部側の先端部において、第１接触部を有する１または複数の第１プローブと、
　光ファイバを有し、先端部が被験者の頭部に配置されるとともに、前記脳機能計測装置に接続されるように構成され、被験者の頭部側の先端部において、遮光性を有するとともに被験者の頭部表面側の面積が前記第１接触部よりも大きい第２接触部を有する１または複数の第２プローブとを備える、脳機能計測装置用計測プローブ。」
２　補正の適否
（１）　本件補正の補正事項について
　本件補正の補正事項は、以下のとおりである。
　補正事項１）補正前の請求項１を引用する請求項２を引用する請求項３を、補正後の請求項１とし、補正前の請求項１を引用する請求項２を引用する請求項３を引用する請求項４−７を、補正後の請求項２−５とする。
　補正事項２）補正前の請求項８において、「
前記第１接触部は、細長形状を有するとともに、前記第１プローブは、被験者の頭部の有毛部に対応する位置に配置されるように構成され、前記第２接触部は、被験者の頭部表面に沿った扁平形状を有するとともに、前記第２プローブは、被験者の頭部の無毛部に対応する位置に配置されるように構成されている
　上記補正事項１は、請求項１−２の削除とそれに伴う引用請求項の補正であるから、特許法第１７条の２第５項第１号の請求項の削除を目的とするものに該当する。
　上記補正事項２は、補正前の請求項８に記載した発明を特定するために必要な事項である「第１プローブ」及び「第２プローブ」について、上記のとおり限定を付加するものであるから、特許法第１７条の２第５項第２号の特許請求の範囲の減縮を目的とするものに該当する。
　そこで、以下において、本件補正後の請求項６に係る発明（以下、「本件補正発明」という。）が特許出願の際独立して特許を受けることができるものであるか否か（特許法第１７条の２第６項において準用する同法第１２６条第７項の規定に適合するか否か）について以下に検討する。
（１）本件補正発明
　本件補正発明は、上記１（１）に記載したとおりのものであり、以下のとおり、当審にて分節しＡ）〜Ｅ）の見出しを付けた。
「　【請求項６】
Ａ−１）光ファイバを有し、先端部が被験者の頭部に配置されるとともに、脳機能計測装置に接続されるように構成され、
Ａ−２）被験者の頭部側の先端部において、第１接触部を有する
Ａ−３）１または複数の第１プローブと、
Ｂ−１）光ファイバを有し、先端部が被験者の頭部に配置されるとともに、前記脳機能計測装置に接続されるように構成され、
Ｂ−２）被験者の頭部側の先端部において、遮光性を有するとともに被験者の頭部表面側の面積が前記第１接触部よりも大きい第２接触部を有する
Ｂ−３）１または複数の第２プローブとを備え、
Ｃ−１）前記第１接触部は、細長形状を有するとともに、
Ｃ−２）前記第１プローブは、被験者の頭部の有毛部に対応する位置に配置されるように構成され、
Ｄ−１）前記第２接触部は、被験者の頭部表面に沿った扁平形状を有するとともに、
Ｄ−２）前記第２プローブは、被験者の頭部の無毛部に対応する位置に配置されるように構成されている、
Ｅ）脳機能計測装置用計測プローブ。」
（２）引用例の記載事項
ア　引用文献１
（ア）引用文献１に記載された事項
　原査定の拒絶の理由に引用され、本願出願前に頒布された刊行物である引用文献１（特開２００８−３０７３１８号公報）には、以下の記載がある（下線は、当審で付した。以下同様。）。
（引１ａ）「【技術分野】
【０００１】
　この発明は、被検体に装着され、被検体に対して光を照射するとともに被検体から戻る光を検出する生体光計測装置のプローブ装置に関するものである。
【背景技術】
【０００２】
　従来の生体光計測装置のプローブ装置では、プローブホルダの孔に固定部材が挿入され装着されている。固定部材には、照射用又は受光用の光ファイバの先端部が保持されている。光ファイバの先端部は、固定部材から突出しており、被検体の表面に当接される（例えば、特許文献１参照）。
【０００３】
【特許文献１】特開２００４−９７５９０号公報
【発明の開示】
【発明が解決しようとする課題】
【０００４】
　上記のような従来のプローブ装置では、光ファイバの先端面が研磨加工されており、またプローブホルダを被検体に装着したときには光ファイバの先端面がばねにより被検体に押し付けられるため、検査課題を実施しながらヘモグロビン濃度の変化量を計測する場合など、プローブホルダの装着時間が長くなると、被検体に痛みを感じさせることがあった。
【０００５】
　この発明は、上記のような課題を解決するためになされたものであり、装着時の被検体の痛みを軽減することができる生体光計測装置のプローブ装置を得ることを目的とする。
【課題を解決するための手段】
【０００６】
　この発明に係る生体光計測装置のプローブ装置は、複数のソケット装着孔を有し、被検体に装着されるホルダ、ソケット装着孔に挿入され装着されるソケットと、ソケットにより保持され、先端部がソケットから突出して被検体に当接される光ファイバとをそれぞれ有する複数個のプローブ、及び光ファイバの先端部が挿入される光ファイバ挿入孔を有し
、少なくとも１個のプローブの光ファイバの先端部に装着される少なくとも１個のパッドを備えている。
【発明の効果】
【０００７】
　この発明の生体光計測装置のプローブ装置は、少なくとも１個のプローブの光ファイバの先端部にパッドを装着したので、被検体に対する圧力が分散され、装着時の被検体の痛みを軽減することができる。」
（引１ｂ）「【発明を実施するための最良の形態】
【０００８】
　以下、この発明を実施するための最良の形態について、図面を参照して説明する。
　実施の形態１．
　図１はこの発明の実施の形態１による
生体光計測装置のプローブ装置
【０００９】
　
ホルダ１は、被検体の頭部に装着され
【００１０】
　
ホルダ１には、複数個のプローブ２が装着され
各プローブ２は、
光ファイバ４
を有し
各光ファイバ４の先端部４ａは、ソケット３から突出して被検体に当接され
【００１１】
　
少なくとも１個のプローブ２の光ファイバ４の先端部４ａには、ゴム（例えばシリコンゴム）製の円筒状のパッド（キャップ）６が装着され
【００１２】
　
パッド６の被検体に当接する面には、球面状の丸みが付けられ
【００１３】
　
プローブ２には、被検体に光を照射するための複数の照射プローブと、被検体を通過した光を検出する複数の検出プローブとが含まれ
【００１４】
　
計測装置本体
は、可視から赤外領域の波長の光を発生し照射プローブに送
照射プローブから照射された光の一部は、照射プローブと検出プローブとの間に位置する計測点で大脳皮質を透過し検出プローブに入射
このとき、検出プローブでの検出光量は、計測点のヘモグロビン濃度に応じて変化
計測装置本体は、検出プローブでの検出光量を計測し、その計測結果から各計測点における血液中のヘモグロビン濃度の変化量を計測し
【００１５】
　このような生体光計測装置のプローブ装置では、少なくとも１個のプローブ２の光ファイバ４の先端部４ａにパッド６を装着したので、被検体の頭皮に対する圧力が分散され、装着時の被検体の痛みを軽減することができる。
【００１６】
　また、パッド６を光ファイバ４に装着したままで、プローブ２をソケット装着孔１ａから引き抜くことが可能であるため、ホルダ１へのプローブ２の着脱の度にパッド６を着脱する必要がなく、作業効率が向上する。
【００１７】
　なお、
パッド６は、
頭髪のない額部分に位置するプローブ２だけに装着
　また、全てのプローブ２に同じパッド６を装着する必要はなく、プローブ２の位置に応じて異なる柔らかさのパッド６を装着するなどしてもよい。
　さらに、光ファイバ挿入孔６ａの外周にスリットを設け、光ファイバ挿入孔６ａの径方向外側からスリットを通して光ファイバ４の先端部４ａを光ファイバ挿入孔６ａに装着するようにしてもよい。」
（引１ｃ）図１は、以下のようなものである。
（イ）引用文献１の記載から把握できる事項
ａ　引用文献１には「パッド６は、」「頭髪のない額部分に位置するプローブ２だけに装着する」（【００１７】段落）との記載があり、この場合、「複数個のプローブ２」には、「頭髪のない額部分に位置するプローブ２」以外のプローブ２が存在し、当該「頭髪のない額部分に位置するプローブ２」以外のプローブ２には、パッド６が装着されていないことは明らかである。
ｂ　また、引用文献１の「複数個のプローブ２」は「被検体の頭部に装着され」る「ホルダ１に」「装着され」る（【０００９】−【００１０】段落）ものであるから、当該「複数個のプローブ２」には、頭髪のある部分に位置するプローブ２が含まれていることは明らかである。
ｃ　上記ａ−ｂから、引用文献１記載の発明において、「パッド６」が「頭髪のない額部分に位置するプローブ２だけに装着」される場合には、
頭髪のある部分に位置するプローブ２には、パッド６が装着されていない
（ウ）引用文献１に記載された発明
　上記（引１ｂ）の下線部の事項に、上記（イ）での検討を加えて整理すると、引用文献１には、以下の発明（以下、「引用発明」という）が記載されている。
　なお、引用発明の認定の根拠となった対応する段落番号等を付記した。
「　ホルダ１は、被検体の頭部に装着され（【０００９】）、
　ホルダ１には、複数個のプローブ２が装着され（【００１０】）、
　各プローブ２は、光ファイバ４を有し（【００１０】）、
　各光ファイバ４の先端部４ａは、ソケット３から突出して被検体に当接され（【００１０】）、
　少なくとも１個のプローブ２の光ファイバ４の先端部４ａには、ゴム（例えばシリコンゴム）製の円筒状のパッド６が装着され（【００１１】）、
　パッド６の被検体に当接する面には、球面状の丸みが付けられ（【００１２】）、
　プローブ２には、被検体に光を照射するための複数の照射プローブと、被検体を通過した光を検出する複数の検出プローブとが含まれ（【００１３】）、
　照射プローブから照射された光の一部は、照射プローブと検出プローブとの間に位置する計測点で大脳皮質を透過し検出プローブに入射し、このとき、検出プローブでの検出光量は、計測点のヘモグロビン濃度に応じて変化し（【００１４】）、
　計測装置本体は、可視から赤外領域の波長の光を発生し照射プローブに送り、また、検出プローブでの検出光量を計測し、その計測結果から各計測点における血液中のヘモグロビン濃度の変化量を計測し（【００１４】）、
　パッド６は、頭髪のない額部分に位置するプローブ２だけに装着され（【００１７】）、
　頭髪のある部分に位置するプローブ２には、パッド６が装着されていない（上記（イ）ａ）、
　生体光計測装置のプローブ装置」
イ　引用文献２
　原査定の拒絶の理由に引用文献３として引用され、本願出願前に頒布された刊行物である、引用文献２（国際公開第２００５／０５８１６１号）には、以下の記載がある。
（引２ａ）「技術分野
　本発明は、光を用いて生体内部の情報を計測する装置のプローブに関する。
背景技術
　生体内部の情報を、簡便で生体に害を与えずに計測する装置が、臨床医療や脳科学等の分野で用いられている。その中でも、特に光を用いた計測法は非常に有効な手段である。その第一の理由は、生体内部の酸素代謝機能は生体中の特定色素（ヘモグロビン、チトクロームａａ３、ミオダロビン等）の濃度に対応しており、これらの色素の濃度は、光の吸収量から求められるからである。また、光計測が有効である第二、第三の理由は、光は光ファイバにより扱いが簡便であり、さらに安全基準の範囲内での使用により生体に害を与えないことが挙げられる。
　・・・
　また、このような生体光計測を実現するために、被検体に接触させる計測プローブが用いられている。これは、光を照射する光照射部と、生体内を透過あるいは反射してきた光を検出する光検出部と、前記光照射部と前記光検出部を格子状に配列させて固定する固定部材とによつて構成されている。また、この固定部材をバンドもしくはゴム紐もしくはへァバンドなどを用いて光照射部と光検出部を被検体に接触させる構造になっている。または、固定部材がへルメットのように被検体にかぶせられるようになっている。この生体光計測プローブの例として、特許文献３（特開平８―１１７２０９号公報）、特許文献４（特開２００１―２８６４４９号公報）もしくは特許文献５（特開２００３―３２２６１２号公報）などが挙げられる。」（明細書第１頁３行目−第２頁７行目）
（引２ｂ）「（実施例５）
　
検出部１０２を被検体に密着させる機構を有する遮光部１０８
　
遮光部１０８は、照明部１０１や検出部１０２を被検体に密着させる機能も有する
被検体に対してずれにくく、密着させる
（引２ｃ）図１８は、以下のようなものである。
（引２ｄ）図１９は、以下のようなものである。
　図１８、１９から、「遮光部１０８」は、厚みに対して半径が大きく、「
扁平形状
ウ　引用文献３
　原査定の拒絶の理由に引用文献５として引用され、本願出願前に頒布された刊行物である引用文献３（特開２００７−２６０１２２号公報）には、以下の記載がある。
（引３ａ）「【技術分野】
【０００１】
　本発明は、散乱媒質の内部に存在する観察対象部位を光によって観察するための装置に関し、特に生体内部に存在する血管や神経等を観察する装置に関するものである。」
（引３ｂ）「【００２６】
〔第一実施形態〕
　以下、本発明の第一実施形態について、図１から図６を用いて説明する。
　図１に示すように、本実施形態に係る散乱媒質内部観察装置１は、光源２と、光源２からの光を散乱体である観察物体Ｗに導く照明装置３と、照明装置３によって照明された観察物体Ｗを観察する観察光学系４とを備えている。
【００２７】
　照明装置３は、光源２からの光を収束させる集光レンズ１１と、集光レンズ１１によって集光された光を観察物体Ｗの表面に導光する導光部材１２を有している。導光部材１２としては、例えば光ファイバ等の細線状のライトガイドが用いられる。また
、
（引３ｃ）「【００３８】
　以下、この散乱媒質内部観察装置１による具体的な観察方法について説明する。本実施形態では、図１及び図６に示すように、観察物体Ｗである脂肪において照明装置３の遮光部材１３に対向する部位の表面から周囲に光が漏れないように、
遮光部材１３の先端面を、脂肪の表面に密着させた状態で、照明装置３による照明を行う
（引３ｄ）図１は、以下のようなものである。
　図１から、「遮光部材１３」は、厚みに対して半径が大きく、「
扁平形状
（３）引用発明との対比
　引用発明と本件補正発明とを対比する。
ア　Ｃ−２）及びＤ−２）について
（ア）引用発明の「被検体」は、本件補正発明の「被験者」に相当する。
（イ）引用発明の「頭髪のない額部分」及び「頭髪のある部分」は、それぞれ、本件補正発明の「頭部の無毛部」及び「頭部の有毛部」に相当する。
（ウ）したがって、引用発明の「被検体の頭部に装着され」た「ホルダ１」に「装着され」た「複数個のプローブ２」の、「頭髪のある部分に位置するプローブ２」及び「頭髪のない額部分に位置するプローブ２」は、それぞれ、本件補正発明のＣ−２）「被験者の頭部の有毛部に対応する位置に配置されるように構成され」ている「第１プローブ」及びＤ−２）「被験者の頭部の無毛部に対応する位置に配置されるように構成されている」「第２プローブ」に相当する。
イ　Ｅ）について
（ア）引用発明の「プローブ２には、被検体に光を照射するための複数の照射プローブと、被検体を通過した光を検出する複数の検出プローブとが含まれ」、「計測装置本体は、可視から赤外領域の波長の光を発生し照射プローブに送り、また、検出プローブでの検出光量を計測」するものであるから、引用発明における「プローブ２」は、「計測装置本体」に接続されていることは明らかである。
　そして、引用発明の「計測装置本体」は、「照射プローブと検出プローブとの間に位置する計測点で大脳皮質を透過し検出プローブに入射」したときに「計測点のヘモグロビン濃度に応じて変化」した「検出プローブでの検出光量」「を計測し、その計測結果から各計測点における血液中のヘモグロビン濃度の変化量を計測」する装置であって、ここで「各計測点における血液中のヘモグロビン濃度の変化量」が「大脳皮質」の各計測点に対応する位置での活動量を反映していることは明らかであるから、本件補正発明の「脳機能計測装置」に相当する。
（イ）したがって、引用発明の「頭髪のある部分に位置するプローブ２」及び「頭髪のない額部分に位置するプローブ２」は、いずれも、「計測装置本体」に接続されて使用されるものであるから、本件補正発明のＥ）「脳機能計測装置用計測プローブ」に相当する。
ウ　Ａ−１）、Ａ−３）、Ｂ−１）、Ｂ−３）について
（ア）引用発明の「各プローブ２」の「各光ファイバ４の先端部４ａは、ソケット３から突出して被検体に当接され」ることは、「プローブ２」が「被検体の頭部に装着され」た「ホルダ１」に装着されていること、及び上記ア（ア）から、本件補正発明のＡ−１）及びＢ−１）における「プローブ」の「先端部が被験者の頭部に配置される」ことに相当する。
（イ）そして、引用発明の「頭髪のある部分に位置するプローブ２」及び「頭髪のない額部分に位置するプローブ２」は、「光ファイバ４を有し」、「被検体の頭部に装着され」た「ホルダ１」に「装着され」て、「各光ファイバ４の先端部４ａは、ソケット３から突出して被検体に当接され」、「計測装置本体」に接続されているものであるから、それぞれ、本件補正発明におけるＡ−１）「光ファイバを有し、先端部が被験者の頭部に配置されるとともに、脳機能計測装置に接続されるように構成され」たＡ−３）「１または複数の第１プローブ」及びＢ−１）「光ファイバを有し、先端部が被験者の頭部に配置されるとともに、前記脳機能計測装置に接続されるように構成され」たＢ−３）「１または複数の第２プローブ」に相当する。
エ　Ａ−２）について
　本願明細書【００３５】段落の「第１接触部３０（光ファイバ２１の先端部２０ａ）が頭部表面に接触する」との記載によれば、引用発明の「ソケット３から突出して被検体に当接され」る「光ファイバ４の先端部４ａ」は、引用発明の「頭髪のある部分に位置するプローブ２」には「パッド６が装着されていない」から、本件補正発明の「１または複数の第１プローブ」がＡ−２）「被験者の頭部側の先端部において」「有する」「第１接触部」に相当する。
オ　Ｂ−２）について
　引用発明における「頭髪のない額部分に位置するプローブ２」には、その「光ファイバ４の先端部４ａに」「パッド６が装着され」、「パッド６」は「被検体に当接する面」を有するものである。
　そして、「パッド６が装着されていない」「頭髪のある部分に位置するプローブ２」の被験者の頭部表面側の面積よりも、「パッド６」が「装着され」ている「頭髪のない額部分に位置するプローブ２」の被験者の頭部表面側の面積の方が、大きいことは明らかである。
　したがって、引用発明における「頭髪のない額部分に位置するプローブ２」に「装着され」ている「パッド６」と、本件補正発明における「１または複数の第２プローブ」がＢ−２）「被験者の頭部側の先端部において」「有する」、「遮光性を有するとともに被験者の頭部表面側の面積が前記第１接触部よりも大きい第２接触部」とは、１または複数の第２プローブが被験者の頭部側の先端部において被験者の頭部表面側の面積が前記第１接触部よりも大きい第２接触部を有する点で共通する。
カ　Ｃ−１）について
　引用発明の「ソケット３から突出して被検体に当接され」る「光ファイバ４の先端部４ａ」は、細長形状の光ファイバであるから、引用発明における「頭髪のある部分に位置するプローブ２」の「光ファイバ４の先端部４ａ」が、本件補正発明におけるＣ−１）「前記第１接触部は、細長形状を有する」ことは明らかである。
キ　上記ア−カから、引用発明は、本件補正発明に対して、以下の一致点で一致し、以下の相違点で相違する。
＜一致点＞
「光ファイバを有し、先端部が被験者の頭部に配置されるとともに、脳機能計測装置に接続されるように構成され、被験者の頭部側の先端部において、第１接触部を有する１または複数の第１プローブと、
　光ファイバを有し、先端部が被験者の頭部に配置されるとともに、前記脳機能計測装置に接続されるように構成され、被験者の頭部側の先端部において、被験者の頭部表面側の面積が前記第１接触部よりも大きい第２接触部を有する１または複数の第２プローブとを備え、
前記第１接触部は、細長形状を有するとともに、前記第１プローブは、被験者の頭部の有毛部に対応する位置に配置されるように構成され、
前記第２プローブは、被験者の頭部の無毛部に対応する位置に配置されるように構成されている、
脳機能計測装置用計測プローブ。」
＜相違点＞
（相違点１）第２接触部の光学特性について、本件補正発明の第２接触部は「遮光性を有する」のに対して、引用発明の「ゴム（例えばシリコンゴム）製」の「パッド６」が遮光性を有するか否か明らかでない点。
（相違点２）第２接触部の形状について、本件補正発明の第２接触部は「被験者の頭部表面に沿った扁平形状を有する」のに対して、引用発明の「円筒状」の「パッド６」がそのような形状を有するか否か明らかでない点。
（４）判断
ア　相違点１について
　生体に光ファイバを接触させて生体内で反射又は散乱された光を計測する生体光計測において、生体に接触する光ファイバの先端に取り付ける部材に、遮光性を持たせることで、計測に不要な光を遮断することは、例えば引用文献２の「遮光部１０８」や引用文献３の「遮光部材１３」にみられるように、本願出願前において、当業者に周知の技術的事項である。
　そして、引用発明も生体光計測に関するものであって、計測に不要な光を遮断するという課題を有していることは明らかである。
　したがって、引用発明において、上記周知技術を採用して、引用発明における「ゴム（例えばシリコンゴム）製」の「パッド６」を遮光性のものとすることで、相違点１に係る本件補正発明の構成すなわち「遮光性を有する」第２接触部とすることは、当業者であれば容易に想到しうることである。
イ　相違点２について
　生体に光ファイバを接触させて生体内で反射又は散乱された光を計測する生体光計測において、生体に接触する光ファイバの先端に取り付けられる部材を、被検体の表面に密着できるような扁平形状とすることは、例えば引用文献２の「遮光部１０８」や引用文献３の「遮光部材１３」にみられるように、本願出願前において、当業者に周知の技術的事項である。
　ここで、上記周知の技術的事項における被検体の表面に密着できるような扁平形状は、本件補正発明における「被験者の表面に沿った扁平形状」に相当する。
　そして、引用発明も生体光計測に関するものであって、「プローブ２」が被検体に対してずれにくく密着できる方が好ましいことは明らかである。
　したがって、引用発明において、上記周知技術を採用して、引用発明における「ゴム（例えばシリコンゴム）製」の「円筒状」の「パッド６」を、被験者の表面に密着できる扁平形状、すなわち相違点２に係る本件補正発明における構成の「被験者の頭部表面に沿った扁平形状」とすることは、当業者であれば容易に想到しうることである。
ウ　本件補正発明の効果について
　本件補正発明の効果は、引用発明及び周知の技術的事項から当業者が予測しうる範囲内のものにすぎず、格別顕著なものではない。
エ　小括
　上記ア−ウから、本件補正発明は、引用発明及び周知の技術的事項に基づいて当業者が容易に発明をすることができたものである。
（５）むすび
　よって、本件補正は、特許法第１７条の２第６項において準用する同法１２６条第７項の規定に違反してなされたものであるから、同法第１５９条第１項において読み替えて準用する同法第５３条第１項の規定により却下すべきものである。
　よって、上記補正の却下の決定の結論のとおり決定する。
第３　本願発明について
１　本願発明
　平成２９年６月１４日にされた手続補正は、上記のとおり却下されたので、本願の請求項１−８に係る発明は、平成２８年１２月２７日にされた手続補正により補正された特許請求の範囲の請求項１−８に記載された事項により特定されるものであるところ、その請求項８に係る発明（以下「本願発明」という。）は、上記第２［理由］１（２）に記載のとおりのものである。再掲すれば、次のとおり。
「　【請求項８】
　光ファイバを有し、先端部が被験者の頭部に配置されるとともに、脳機能計測装置に接続されるように構成され、被験者の頭部側の先端部において、第１接触部を有する１または複数の第１プローブと、
　光ファイバを有し、先端部が被験者の頭部に配置されるとともに、前記脳機能計測装置に接続されるように構成され、被験者の頭部側の先端部において、遮光性を有するとともに被験者の頭部表面側の面積が前記第１接触部よりも大きい第２接触部を有する１または複数の第２プローブとを備える、脳機能計測装置用計測プローブ。」
２　引用刊行物
　原査定の拒絶の理由で引用された引用文献１−３、その記載事項及び引用発明は、上記第２［理由］２（２）に記載したとおりである。
３　判断
　本願発明は、前記第２［理由］２で検討した本件補正発明から、「第１プローブ」及び「第２プローブ」に係る限定事項である「前記第１接触部は、細長形状を有するとともに、前記第１プローブは、被験者の頭部の有毛部に対応する位置に配置されるように構成され、前記第２接触部は、被験者の頭部表面に沿った扁平形状を有するとともに、前記第２プローブは、被験者の頭部の無毛部に対応する位置に配置されるように構成されている」ことを削除したものである。
　そうすると、本願発明の発明特定事項を全て含み、さらに他の事項を付加したものに相当する本件補正発明が、上記理由２［理由］２（３）、（４）に記載したとおり、引用発明及び周知の技術的事項に基づいて、当業者が容易に発明をすることができたものであるから、本願発明も、同様の理由により、引用発明及び周知の技術的事項に基づいて、当業者が容易に発明をすることができたものである。
４　むすび
　以上のとおり、本願発明は、特許法第２９条第２項の規定により特許を受けることができないから、他の請求項に係る発明について検討するまでもなく、本願は拒絶されるべきである。
　よって、結論のとおり審決する。